(57)【特許請求の範囲】
【請求項１】
各右向き腰折ウェットテシューの下部折片と、各左向き腰折ウェットテシューの上部折片とを相の手に組んで多重腰折ウェットテシューを形成し、該多重腰折ウェットテシューを容器内に収容し、該容器に設けた取出口より最上位の腰折ウェットテシューの上部折片を引き出すことにより上記相の手組部において摩擦係合する下位の腰折ウェットテシューの上部折片の遊離端を上記取出口より誘出させ連続取出しが行われるようにした多重腰折ウェットテシューの連続取出し構造において、上記各右向きと左向き腰折ウェットテシューの上部折片と下部折片の遊離端側を各腰折ウェットテシューの腰折り方向とは逆方向に折り返して短巾の上部重畳端と下部重畳端を形成し、上記各右向き腰折ウェットテシューの上部短巾重畳端を各左向き腰折ウェットテシューの下部短巾重畳端と相の手に組み、上記各左向き腰折ウェットテシューの上部短巾重畳端を各右向き腰折ウェットテシューの下部短巾重畳端と相の手に組み、上記各右向き腰折ウェットテシューの上部短巾重畳端及び各左向き腰折ウェットテシューの下部短巾重畳端と各左向き腰折ウェットテシューの上部短巾重畳端及び各右向き腰折ウェットテシューの下部短巾重畳端とが多重腰折ウェットテシューの左半部側と右半部側に按分され、上記各上部短巾重畳端を腰折ウェットテシューの取出し手段としたことを特徴とする多重腰折ウェットテシューの連続取出し構造。
【発明の詳細な説明】
【０００１】
【発明の属する技術分野】
この発明は多重腰折ウェットテシューを容器に収容し、容器に設けた取出口より各腰折ウェットテシューを順次連続して取出し得るようにした多重腰折ウェットテシューの連続取出し構造に関する。
【０００２】
【従来の技術】
従来の多重腰折ウェットテシューは図１に示すように、二つ折りした各右向き腰折ウェットテシュー１の下部折片１ａと各左向き腰折ウェットテシュー２の上部折片２ｂとを相の手に組んで多重腰折ウェットテシュー４を形成し、該多重腰折ウェットテシュー４を容器３内に収容し、容器３の天板に設けた取出口３ａより最上位の腰折ウェットテシュー１又は２の上部折片１ｂ又は２ｂを引き出すことにより、上記相の手組部において摩擦係合する下位の腰折ウェットテシュー１又は２の上部折片１ｂ又は２ｂの遊離端を上記取出口３ａより誘出させて連続取出しが行えるように構成されている。
【０００３】
【発明が解決しようとする課題】
上記多重腰折ウェットテシュー４は旧来より普遍的に用いられてきているが、この多重腰折ウェットテシューは定寸法のウェットテシューを二つ折りして略二分の一の折片を他の折片と相の手に組むようにした構成なために、使用に際して上位の腰折ウエットテシュー１又は２を取り出した時に、容器３の取出口３ａから下位の腰折ウェットテシュー１又は２の略二分の一の折片が誘出されてしまい、誘出長が長すぎ美感を損なうと指摘されている。
【０００４】
殊に多重腰折ウェットテシュー４は薬液等を湿潤した状態であり、上記のように容器３の取出口３ａから誘出された部分が乾いてその効用を喪失するので、誘出長をできるだけ短くすることが望まれている。
【０００５】
又各腰折ウェットテシューの折片がその端末から相当の長さに亘って薬液により接着するので、取出口より取り出そうとする腰折ウェットテシューの次に続く腰折ウェットテシューの全体が友連れされて取り出されてしまう欠点を有している。
【０００６】
又上記ウエットテシュー長の略二分の一の腰折巾を有する多重腰折ウエットテシュー４の縮小化と、これを収容する容器３の小形化が要望されている。
【０００７】
【課題を解決するための手段】
この発明は上記課題を解決する手段として、各右向き腰折ウェットテシューと左向き腰折ウェットテシューとを相の手に組んで多重腰折ウェットテシューを形成し、この多重腰折ウェットテシューを容器内に収容して上部折片を摘出し連続取出しを行うようにする場合に、上記各右向きと左向き腰折ウェットテシューの上部折片と下部折片の遊離端側を各腰折ウェットテシューの腰折り方向とは逆方向に折り返して短巾の上部重畳端と下部重畳端を形成し、上記各右向き腰折ウェットテシューの上部短巾重畳端と各左向き腰折ウェットテシューの上部短巾重畳端とを上位の腰折ウェットテシューの下部短巾重畳端と相の手に組むようにして各腰折ウェットテシューの上部折片の誘出量を充分に短縮できるようにすると共に、上記右向き腰折ウェットテシューの上部短巾重畳端及び左向き腰折ウェットテシューの下部短巾重畳端と左向き腰折ウェットテシューの上部短巾重畳端及び右向き腰折ウェットテシューの下部短巾重畳端とが多重腰折ウェットテシューの左半部側と右半部側に按分されるようにし、各上位の腰折ウェットテシューの上部短巾重畳端を摘持して容器に設けた取出口より連続的に取出す構成としたものである。
【０００８】
【作用】
この発明によれば、各腰折ウェットテシューの上部折片と下部折片の遊離端側を折り返して上部短巾重畳端と下部短巾重畳端を形成し、この両者を相の手に組んで多重ねを行っているので、各腰折ウェットテシュー間における上記相の手組部の寸法（重畳巾の寸法）をウェットテシュー長の略五分の一に縮小でき、この結果、上位の腰折ウェットテシューの上部短巾重畳端を摘持して引き出したときの容器の取出口から誘出される下位の腰折ウェットテシューの誘出寸法を上部短巾重畳端の重畳巾に短縮できる。この時各下位の腰折ウェットテシューの上部短巾重畳端は、各上位の腰折ウェットテシューの下部短巾重畳端とウェットテシュー長の略五分の一の巾で薬液により接着しているのみで他の五分の四には引張力が作用しない。
【０００９】
又各腰折ウェットテシューの下部折片と各下位の腰折ウェットテシューの上部折片の相の手組部の寸法を縮小して、上位の腰折ウェットテシューの取出しに伴って下位の腰折ウェットテシューの上部折片が過度に引き出されたり、或いは下位の腰折ウェットテシュー全体が引き出されてしまう問題点を有効に解消できる。
【００１０】
よって、多重腰折ウェットテシューにおける各腰折ウェットテシューの上部折片の誘出量を縮小し、併せて上記誘出された上部短巾重畳端の重ね合わせ部内面における薬液の乾燥が極力抑えられる。
【００１１】
又誘出された上部短巾重畳端を摘持してウェットテシューの連続取出しを行うことができ、この摘持部に上部短巾重畳端による強度を持たせることができる。
【００１２】
又上記腰折ウエットテシューの腰折巾を縮小できるため、これを収容する容器の小形化を達成できる。
【００１３】
【発明の実施の形態】
以下この発明の実施形態例を図２乃至図４に基づき説明する。
【００１４】
多重腰折ウェットテシュー１４は、右向きの腰折ウェットテシュー１１と左向きの腰折ウェットテシュー１２とから成り、各右向き腰折ウェットテシュー１１の下部折片１１ｂと各左向き腰折ウェットテシュー１２の上部折片１２ａとを相の手に組んで多重ねにしている。換言すると各右向き腰折ウェットテシュー１１の下部折片１１ｂの内面に各左向き腰折ウェットテシュー１２の上部折片１２ａの内面が重なるように交叉掛けにする。これを相の手と称する。
【００１５】
又右向き腰折ウェットテシュー１１とは左側に腰折り用の折線Ｓ１を有して右オープンとなされた腰折ウェットテシューを意味し、左向き腰折ウェットテシュー１２とは右側に腰折り用の折線Ｓ１を有して左オープンとなされた腰折ウェットテシューを意味する。
【００１６】
尚上記相の手組みした各腰折ウェットテシュー１１，１２を上記右向き又は左向きと定義したが、相の手組みの左右を逆にしても上記と同一組手の多重腰折ウェットテシュー１４が形成される。
【００１７】
上記多重腰折ウェットテシュー１４は容器１３に収容され、容器１３の天板に設けた取出口１３ａより順次腰折ウェットテシュー１１，１２が引き出されて使用に供される。
【００１８】
図２、図３に示すように、上記各右向きと左向き腰折ウェットテシュー１１，１２の上部折片１１ａ，１２ａの遊離端側を各腰折ウェットテシュー１１，１２の腰折り方向とは逆方向に折り返して短巾の上部重畳端１１ｃ，１２ｃを形成し、この各上部短巾重畳端１１ｃ，１２ｃを各腰折ウェットテシュー１１，１２の上記取出し手段とする。即ち上部短巾重畳端１１ｃ，１２ｃを摘持して腰折ウェットテシュー１１，１２の取出しを行うようにする。
【００１９】
更に上記各右向きと左向き腰折ウェットテシュー１１，１２の下部折片１１ｂ，１２ｂの遊離端側を各腰折ウェットテシュー１１，１２の腰折り方向とは逆方向に折り返して短巾の下部重畳端１１ｄ，１２ｄを形成する。
【００２０】
上記上部短巾重畳端１１ｃ，１２ｃは各右向きと左向きの腰折ウェットテシュー１１，１２の上部折片１１ａ，１２ａの遊離端側を同折片の基部側外面へ折り返し形成する。又は同折片の基部側内面へ折り返し形成することもできる。同様に下部短巾重畳端１１ｄ，１２ｄは各右向きと左向きの腰折ウェットテシュー１１，１２の下部折片１１ｂ，１２ｂの遊離端側を同折片の基部側外面へ折り返し形成する。又は同折片の基部側内面へ折り返し形成することもできる。
【００２１】
図４は上記各腰折ウェットテシュー１１，１２の展開図を示し、Ｓ１は腰折り用の折線、Ｓ２は上記下部折片１１ｂ，１２ｂを折り返して下部短巾重畳端１１ｄ，１２ｄを形成するための折り返し用の折線、Ｓ３は上記上部折片１１ａ，１２ａを折り返して上部短巾重畳端１１ｃ，１２ｃを形成するための折り返し用の折線を夫々示す。
【００２２】
上記折線Ｓ１はウェットテシューを略五等分して五分の三の位置に設定し、該五分の三の長さの折片で上部折片１１ａ，１２ａを形成し、残りの五分の二の長さの折片で下部折片１１ｂ，１２ｂを形成する。
【００２３】
又折線Ｓ２は上記下部折片１１ｂ，１２ｂを更に略二等分する位置に設定し、折線Ｓ３は上部折片１１ａ，１２ａを略三等分し遊離端から三分の一の位置に設定する。従って折線Ｓ２によって折り返された折り返し片１１ｅ，１２ｅは腰折ウェットテシュー１１，１２の展開長の略五分の一の長さとなり、折線Ｓ３によって折り返された折り返し片１１ｆ，１２ｆは同様に腰折ウェットテシュー１１，１２の展開長の略五分の一の長さになる。
【００２４】
製造工程としては、各ウェットテシューの一端部をウェットテシュー長の略五分の一に相当する長さだけ外側へ折り返して上部短巾重畳端１１ｃ，１２ｃを形成し、同様に各ウェットテシューの他端部をウェットテシュー長の上記略五分の一に相当する長さだけ外側へ折り返して下部短巾重畳端１１ｄ，１２ｄは形成し、上部短巾重畳端１１ｃ，１２ｃと下部短巾重畳端１１ｄ，１２ｄは何れか一方を形成した後、他方を形成し、次いでウェットテシュー長の上記略五分の三に相当する長さで腰折して各腰折ウェットテシュー１１，１２を形成する。
【００２５】
こうして上記各右向き腰折ウェットテシュー１１の上部短巾重畳端１１ｃを上位の各左向き腰折ウェットテシュー１２の下部短巾重畳端１２ｄと相の手に組み、更に上記各左向き腰折ウェットテシュー１２の上部短巾重畳端１２ｃを上位の各右向き腰折ウェットテシュー１１の下部短巾重畳端１１ｄと相の手に組んで、図２に示すように多重腰折ウェットテシュー１４を形成する。
【００２６】
この時、上記各右向き腰折ウェットテシュー１１の上部短巾重畳端１１ｃ及び各左向き腰折ウェットテシュー１２の下部短巾重畳端１２ｄと各左向き腰折ウェットテシュー１２の上部短巾重畳端１２ｃ及び各右向き腰折ウェットテシュー１１の下部短巾重畳端１１ｄとが多重腰折ウェットテシュー１４の左半部側と右半部側とに按分される。又この時各腰折ウェットテシュー１１，１２の上部短巾重畳端１１ｃ，１２ｃの折り返し片１１ｆ，１２ｆの先端が多重腰折ウェットテシュー１４の中心線Ｙ付近、好ましくは図３Ａに示すように、上記折り返し片１１ｆ，１２ｆを中心線Ｙを越えず且つこれに接近した折り返し寸法に設定する。
【００２７】
上記多重腰折ウエットテシュー１４はウエットテシュー長の略五分の二の腰折巾Ｗに形成され、従来の如き多重腰折ウエットテシューに比べ、その腰折巾が縮小される。従って、容器の巾と従来の腰折巾がウエットテシューの略二分の一であるのに対し、この発明では同五分の二の巾に縮小できる。
【００２８】
又各腰折ウェットテシュー１１，１２間における上記相の手組部の寸法をウェットテシュー長の略五分の二に縮小し、上位の腰折ウェットテシュー１１又は１２を引き出したとき、容器１３の取出口１３ａから誘出される下位の腰折ウェットテシュー１１又は１２の誘出寸法（上部端巾重畳端の展開長）がウエットテシュー長の略五分の二、換言すれば略上部短巾重畳端１１ｃ，１２ｃの重畳巾に縮小されるので、ウエットテシューに湿潤させた薬液の乾燥巾が縮小できる。又誘出された上部短巾重畳端１１ｃ，１２ｃは重ね合わせ状態で摘出されるので重ね合わせ部内面における乾燥が極力抑えられる。
【００２９】
これにより従来例の如く略二分の一の長さに亘るウエットテシューの乾燥を解消すると共に、上記誘出寸法を縮小することによって美感を良好にできる。
【００３０】
以上のように、多重腰折ウェットテシュー１４を容器１３内に収容し、図３Ｂに示すように、該容器１３の天板に設けた取出口１３ａから最上位の腰折ウェットテシュー１１又は１２の上部短巾重畳端１１ｃ及び１２ｃを摘持して引き出すごとに、上記相の手組部において摩擦係合及び湿潤接着する下位の腰折ウェットテシュー１２又は１１の上部短巾重畳端１２ｃ又は１１ｃを上記取出口１３ａより重畳巾Ｌを以って誘出させて連続取出しが行なえるようにする。
【００３１】
この時、取出し手段となる上部短巾重畳端１１ｃ，１２ｃが容器１３内に落ち込んでいても、この上部短巾重畳端１１ｃ，１２ｃの折り返し厚によって取出口１３ａから容易に引き出すことができる。
【００３２】
又上記腰折ウェットテシュー１１，１２の連続取出しにおいては、各右向き又は左向き腰折ウェットテシュー１１，１２の下部短巾重畳端１１ｄ，１２ｄと下位の左向き又は右向き腰折ウェットテシュー１２，１１の上部短巾重畳端１２ｃ，１１ｃとの上記接着面積がウエットテシュー長の略五分の一と小さく、下位の腰折ウェットテシュー１２，１１を過度に引き出す原因を排除している。即ち下位の腰折ウェットテシュー１２，１１の上部短巾重畳端１２ｃ，１１ｃは、各上位の腰折ウェットテシュー１１，１２の下部短巾重畳端１１ｄ，１２ｄとウェットテシュー長の略五分の一の巾で薬液により接着されているのみで、他の五分の四には引張力が作用しない。
【００３３】
又各右向き又は左向き腰折ウェットテシュー１１又は１２の上部短巾重畳端１１ｃ又は１２ｃの折り返し片１１ｆ又は１２ｆを、取り出される上位の左向き又は右向き腰折ウェットテシュー１２，１１の下部短巾重畳端１２ｄ又は１１ｄの折り返し片１２ｅ，１１ｅと接着させない構造としている。
【００３４】
この結果、上位の腰折ウェットテシュー１１，１２の引き出しに際して下位の腰折ウェットテシュー１２，１１の上部折片１２ａ，１１ａの全体又は下位の腰折ウェットテシュー１２，１１全体を引き出してしまう不具合を解消できる。上記多重腰折ウェットテシューは家庭用の殺菌液等を含浸させた多重腰折ウェットテシューの連続取り出し構造として有効である。
【００３５】
【発明の効果】
この発明によれば、各腰折ウェットテシュー間における上記相の手組部の寸法（重畳巾Ｌの寸法）をウェットテシュー長の略五分の一に縮小でき、上位の腰折ウェットテシューの上部短巾重畳端を摘持して引き出したときの容器の取出口から誘出される下位の腰折ウェットテシューの誘出寸法を上部短巾重畳端の重畳巾に縮小できる。これにより従来に比べ腰折ウエットテシューの誘出量を縮小できると共に、上部重畳端の重ね合わせ部内面における薬液の乾燥を極力抑えることができる。
【００３６】
又上部短巾重畳端を摘持してウェットテシューの連続取出しを行うので、取出しが容易であると共に、この摘持部に上部短巾重畳端による強度を持たせて取出し時の紙切れの問題を解消できる。
【００３７】
よって上位の腰折ウェットテシューの取り出しに伴って下位の腰折ウェットテシューの上部折片が過度に引き出されてウェットテシューに含浸させた殺菌液を乾燥させてその効力を喪失させてしまう問題点、或いは下位の腰折ウェットテシュー全体が引き出されてしまう問題点を有効に解消できる。
【００３８】
又多重腰折ウェットテシューにおける各腰折ウェットテシューの上部折片の誘出量を縮小したことにより、美感を良好にすることができる。
【００３９】
又上記相の手組み構造によって腰折ウエットテシューの腰折巾を縮小でき、これにより腰折ウエットテシューを収容する容器の小形化を達成できる。
【図面の簡単な説明】
【図１】従来の多重腰折ウェットテシューを容器内に収容した状態を以って示す概略断面図である。
【図２】この発明の多重腰折ウェットテシューを示す概略斜視図である。
【図３】（Ａ）は多重腰折ウェットテシューを容器内に収容した状態を以って示す概略断面図、（Ｂ）は最上位の多重腰折ウエットテシューを取出す状態を以って示す概略断面図、（Ｃ）は上記取出し後の状態を以って示す概略断面図である。
【図４】腰折ウェットテシューの展開図を示す平面図である。
【符号の説明】
１１              右向き腰折ウェットテシュー
１２              左向き腰折ウェットテシュー
１１ａ，１２ａ    上部折片
１１ｂ，１２ｂ    下部折片
１１ｃ，１２ｃ    上部短巾重畳端
１１ｄ，１２ｄ    下部短巾重畳端
１３              容器
１３ａ            取出口
１４              多重腰折ウェットテシュー
Ｗ                腰折巾
Ｌ                重畳巾
【図１】
0003832783.tif 000002
【図２】
0003832783.tif 000003
【図３】
0003832783.tif 000004
【図４】
0003832783.tif 000005